(57)【要約】      （修正有）【課題】ユーザの顔および首におけるコンプレクションスキンの治療を行う改善された治療バンドを提供する。【解決手段】複合的な機械的刺激を皮膚に与えることで、使用者の顔および首におけるコンプレクションスキンの治療を行うバンドであって、使用者の頭部周りに締結されることで皮膚に密着する。密着は、伸縮性のある環状のバンドを伸ばした状態で使用者の頭部周りに着用することで実現される。下方に突出しており、使用者が指で掴んで下方に引っ張るための伸縮性ローブ２４を少なくとも１つ備える。また、余剰皮膚ウィンドウ２８を少なくとも１つ備え、伸縮性ローブによる局所的ストレッチにより形成された緩んだ皮膚を当該ウィンドウ内に集めることができる。【選択図】図１Ａ
0003214596.tif 000002
【実用新案登録請求の範囲】
【請求項１】
複合的な機械的刺激を皮膚に与えることで、使用者の顔および首におけるコンプレクションスキンの治療を行うバンドであって、当該バンドは、使用者の頭部周りに締結されることで皮膚に密着する、バンド。
【請求項２】
上記密着は、伸縮性のある環状のバンドを伸ばした状態で使用者の頭部周りに着用することで実現される、請求項１記載のバンド。
【請求項３】
下方に突出しており、使用者がこれを指で掴んで下方に引っ張るための伸縮性ローブを少なくとも１つ備えている、請求項２記載のバンド。
【請求項４】
内表面上で長手方向に延在するリッジが形成されている、請求項２記載のバンド。
【請求項５】
余剰皮膚ウィンドウを少なくとも１つ備えていて、上記伸縮性ローブによる局所的ストレッチにより形成された緩んだ皮膚を当該ウィンドウ内に集めることができる、請求項３記載のバンド。
【請求項６】
上記伸縮性ローブの少なくとも１つは、指によるグリップ操作を助ける構造部を外表面に備えている、請求項３記載のバンド。
【請求項７】
長手方向に並んで配置された２つの拡げることのできる長手方向スリットをさらに備える、請求項２記載のバンド。
【考案の詳細な説明】
【技術分野】
【０００１】
本考案は、顔膚および首皮膚の生理学状態を改善する目的で、人が自身のコンプレクションスキン（ｃｏｍｐｌｅｘｉｏｎ ｓｋｉｎ）に適用するシステムに関する。
【背景技術】
【０００２】
肺動脈の繊維芽細胞に関して、体外（試験管内）においてヒト組織（ｔｉｓｓｕｅ）を機械的に伸張（ストレッチング）させてコラーゲン形成を強化することが、これまでに知られている。−ジア・リウ（Ｊｉａ Ｌｉｕ）等による「ＳＯ２／ＡＡＴ１経路を下方調節する機械的なストレッチングによるコラーゲン合成の刺激」（サイエンス・レポート ６，２１１１２； ｄｏｉ： １０．１０３８／Ｓｒｅｐ ２１１１２ ２０１６年）−。さらに、体外に関して下記を参照。
ストレッチングによって、ヒト表皮のケラチン合成細胞における細胞増殖が調節されることが示されている。−ソウイチロウ・ヤノ（Ｓｏｉｃｈｉｒｏ Ｙａｎｏ）等による「体外における機械的ストレッチングによる、ヒト表皮のケラチン合成細胞における、信号伝達経路および細胞増殖の調節」（Ｊｏｕｒｎａｌ ｏｆ Ｉｎｖｅｓｔｉｇａｔｉｖｅ Ｄｅｒｍａｔｏｌｏｇｙ誌 １２２： ７８３−７９０、２００４年）−。
さらに別の研究では、ストレッチングは、表皮の厚さに影響を与え、かつ体外におけるヒト皮膚等価物において基底膜を発達させることが実証された。−エイジロウ・トクヤマ（Ｅｉｊｉｒｏ Ｔｏｋｕｙａｍａ）等による「ヒト皮膚等価物に機械的ストレッチングを与えることによる、表皮厚さの増大および基底膜の発達」（Ｐｌｏｓ ｏｎｅ誌 ＤＯＩ：１０：１３７１ ２０１５年）−。
【０００３】
パーソナルケア、化粧品および医学に関連する皮膚の他の局面は、医学的なコンディショニング剤の浸透に対して、皮膚外層が示す妨害である。この点については、Ｔｒｏｍｍｅｒ ＨおよびＮｅｕｂｅｒｔ Ｒ．Ｈ．Ｈ．を参照のこと。−「角質層の克服：皮膚浸透の調整」（Ｓｋｉｎ Ｐｈａｒｍａｃｏｌｏｇｙ ａｎｄ Ｐｈｙｓｉｏｌｏｇｙ誌 ２００５年；１９：１０５−１２１）−。そこでは、角質層における浸透を高める化学的および物理的方法が議論されている。
【０００４】
コンプレクションスキン（ｃｏｍｐｌｅｘｉｏｎ ｓｋｉｎ）および他の場所におけるシワを回避あるいは緩和するため多くの努力が払われている。例えば、ジェイ・エル・コンテット−オードニュー（Ｊ．Ｌ．Ｃｏｎｔｅｔ−Ａｕｄｏｎｎｅａｕ）等による「ヒトのシワ構造の組織学的研究：  顔面において、太陽に晒されてシワができた、あるいはシワができていない領域と、太陽から保護された領域と、の比較」 （Ｂｒ． Ｊ． ｏｆ Ｄｅｒｍａｔｏｌ． １９９９：１４０：１０３８−１０４７）。
【考案の概要】
【０００５】
本考案にしたがって、その好ましい実施形態では、顔および首におけるコンプレクションスキンの治療器具（以下、ＣＮＢＴと呼ぶ）が、伸縮可能（ストレッチ可能）で皮膚に貼り付けられる材料から作られる。本考案のＣＮＢＴは、代表的には、着用後に引き下げることで局所的に上向きのストレッチを、コンプレクション（顔）および場合によっては首に与える伸縮性ローブを備える。
代表的には、ＣＮＢＴの各ローブの上方には、局所ストレッチングで形成された緩んだ皮膚を集めるための横長ウィンドウが配置されている。
幾つかの実施形態では、より長いスリットまたはウィンドウが２つ設けられていて、具体的に使用者の耳の下または上で着用することを許容している。
【図面の簡単な説明】
【０００６】
添付図面を参照して行う以下の詳細な説明によって、本考案は、より完全に理解され、その良さが認識されるであろう。
【０００７】
【図１Ａ】本考案に係る顔および首におけるコンプレクションスキンの治療バンド（ＣＮＢＴ）の一例を示す概略斜視図であって、その主たる構造的特徴を示している。
【図１Ｂ】本考案のＣＮＴＢの一部を示す斜視図であって、伸縮性ローブおよび関連する余剰皮膚ウィンドウを拡大して示している。
【図２】本考案の一実施形態を示す斜視図であって、拡げることのできる長手スリット（ＰＬＳ）を示している。
【図３Ａ】リッジ（ｌｅｄｇｅ）を有することを特徴とする本考案のＣＮＴＢの一実施形態を示す概略断面図である。
【図３Ｂ】リッジ（ｌｅｄｇｅ）を有することを特徴とする本考案のＣＮＴＢの一実施形態を示す概略斜視図である。
【考案を実施するための形態】
【０００８】
本考案は、顔および首におけるコンプレクションスキンの治療バンド（ＣＮＴＢ）を用いて実施される。ＣＮＴＢは、伸張可能（ストレッチ可能）なデバイスであって、ユーザの頭部周りに取り付けられて、複合的なストレッチを与える。ＣＮＴＢは、人間の頭部周りにしっかりとフィットするように構成されていて、さらには、着用者（ユーザ）によって調節される全体的なストレッチおよび局所的なストレッチを生成する。顔を治療する例示的なＣＮＴＢの構造的特徴を、図１Ａを参照して説明する。ＣＮＴＢ２２は、代表的には、伸縮可能な薄い材料で作られる。好ましい例としては、シリコーンゴム等の合成樹脂である。
【０００９】
ＣＮＴＢは、着用されると、ユーザの皮膚に接触する。ＣＮＴＢを上方へ引き上げ、それによって、コンプレクションスキンの大部分、あるいはそれ以上の領域を引き伸ばす。
この種のストレッチを、以下では、全体的ストレッチと呼ぶ。
【００１０】
＜伸縮性ローブ＞
これらのローブにより、本考案のデバイスによる局所的ストレッチ効果（ＬＳＥ）が容易に得られる。上で説明した全体的ストレッチ効果（ＧＳＥ）を与えた後に、ＬＳＥが与えられる。
したがって、ＣＮＴＢ２２が皮膚上に着用されたとき、伸縮性ローブ（ＳＬ）２４のいずれか１つ（図１Ｂを参照すると分かるように、下方へ突出している）をユーザは指でつかむことができる。ＳＬ２４をさらに下方へと引っ張って、当該ＳＬ２４（時には、ＣＮＴＢ自体も）を変形させる。次いで、当該ＳＬ２４を皮膚に接着した後、指を離す。これによって、皮膚の一部が、ＳＬ２４の弾性回復力によって、ＣＮＴＢ２２の本体に向かって上方へ引き伸ばされる。
伸縮性ローブは、その外表面がグリップを助ける構造とされている。そのような構造部２６は、例えば、表面上に設けたクリート（cleat）、溝、またはスタッドである。あるいは、ＣＮＴＢの一部を、下方に行くにつれて外側に向かうよう傾斜させて、滑りに対する抵抗を与えてもよい。
【００１１】
＜余剰皮膚ウィンドウ（ＳＳＷ）＞
図１Ａに、そしてより明確には図１Ｂに示したように、本考案の好ましい実施形態においては、ＣＮＴＢ本体上でＳＬ２４の上側に、１または２以上のＳＳＷ２８が設けられる。ＳＳＷの機能は、ＣＴＮＢより下側の皮膚を上方に引き伸ばした際の余分な皮膚を畳んで集めるのを可能にすることである。
ローブ２４による局所的な引っ張りの効果は、ＳＳＷが無くても生じる。しかし、緩んだ皮膚をＳＳＷによって束ねることで、手順が改善される。ＳＳＷの長さは任意であるが、代表的には、ＳＬの基部の長さとほぼ同じにする（例えば、数センチメートル）。ＳＳＷの幅（つまり、鉛直方向の寸法）については、好ましい寸法は無いが、代表的には、数ミリメートル以内の範囲である。
【００１２】
＜長手方向のスリット（あるいはウィンドウ）＞
ＳＳＷ２８はＣＮＴＢにおいて長手方向のスリットを構成するが、本考案の別の実施形態では、上に説明したものよりも長いスリットが、ＣＮＴＢに設けられる。図２に概略的に示しているように、ＳＳＷ２８をＣＮＴＢ２２の前方側に集中して配置する一方、２つの拡げることのできる長手方向のスリット（ＰＬＳ）３２を側方（耳に当接して配置される側）に配置している。ＰＬＳの役割は、ユーザの耳がＰＬＳ３２を通して突出するようＣＮＴＢを、ユーザの耳を覆って配置するのを容易ならしめることである。
さらに、ＣＮＴＢの部分（すなわち、ＰＬＳ３２の下方に位置する長手方向セクター４２）を（鉛直方向に）引き下げて、ＰＬＳを拡げることができる。それにより、拡げられたＰＬＳ３２を通して耳が突出するのを許容するだけでなく、この下方部分を１または２以上の（ＳＬ）２４Ｌと一緒に、コンプレクションの特定の領域（代表的には耳や首よりも下方）へ向かって移動させることができる。このとき、長手方向セクター４４（ＰＬＳ３２の上方の部分）は、その場に留まり、ＣＮＴＢを頭部に固定するアンカー（anchorage）の一部を構成する。
代表的には、ＰＬＳはＳＳＷよりも長い。「ＣＮＴＢの一部（より正確には、頭部の両側に位置する対向する２つの対称な部分）はＣＮＴＢから離れるように鉛直方向に拡げられ、拡げられたスリットを通してユーザの耳への自由なアクセスを許容する」という事実を考慮に入れるべきである。さらに、一般的に言って、ＳＳＷおよびＰＬＳが１つのＣＮＴＢの同じ領域に存在することは排除されない。
ＣＮＴＢに沿ってＳＳＷおよびＰＬＳの両方が配置されてもよいが、ＰＬＳの長さ（水平方向の寸法）がＳＳＷの長さと同様の場合、特に、長さについて厳密な定義がない場合、あるいは、複数のＰＬＳおよび複数のＳＳＷにおいて長さが一定でない場合には、両者は区別できないこともある。このように、ＰＬＳは、耳がそこを容易に通過できるよう、かつ当該ＰＬＳの両長手方向セクターが鉛直方向に分離できるよう、十分に長く構成されるべきではあるが、ＰＬＳとＳＳＷが区別し難い場合もある。
【００１３】
＜ＣＮＴＢの内表面および外表面＞
【００１４】
＜内表面＞
皮膚のストレッチ効果を高めるために、ＣＮＴＢの内表面は、皮膚に貼着するよう構成される。それは特に、ＣＮＴＢ内表面の皮膚への貼付特性を高めることで実現される。ＣＮＴＢの内表面を平滑にする（特に、磨き上げる）ことで、皮膚への貼着が向上し、ストレッチ効果がより高まることが見出された。そのようなものを商業的に生産するために、ＣＮＴＢを製造するための型（モールド）は、その内表面を磨いておくべきであり、それによって、有利な特性がＣＮＴＢの内表面に付与される。
【００１５】
本考案のシステムの別の態様はリッジ（棚）を設けることであり、それは、図３Ａ、３Ｂを参照して説明するように、幾つかの実施形態において実施される。図３Ａは、リッジ（棚）が設けられたＣＮＴＢのセクターの断面図である。リッジ５２は、ＣＮＴＢ２２の一部であるか、あるいは取り付けられたものである。矢印５４は、本考案に係るデバイスおよび方法の２つの特性を示唆している。２つの特性とは、１つは上向きの方向であり、２つ目は、リッジ５２が顔および首の皮膚に作用する態様である。
したがって、ＣＮＴＢを適用すると（身に付けると）、まずそれは、重力の方向に下方へ引かれる。次いで、それは、重力に逆らって矢印５４の方向に上方へ押し上げられる。そのとき、ＣＮＴＢ２２がタイトにフィットすることで皮膚と係合したリッジ５２は上方（鉛直方向）へのＣＮＴＢの引っ張りを強めることができる。図では、リッジの相対寸法および特に角度αは、説明を明確にするため、誇張して描いている。角度αの値は、０〜約３０度である。
図３Ｂでは、リッジを斜視図で示している。図３Ｂは、リッジがセクターを大まかに覆っていることを示している。実際のところ、幾つかの実施形態では、リッジは、ＣＮＴＢの内表面の全周に渡って形成されるが、他の形態を採用してもよい。例えば、リッジは、ローブ２４の上方だけに形成してもよい。他の態様でローブ２４を配置することも可能である。
【００１６】
＜外表面＞
一般的に言って、ＣＮＴＢの外表面には、（幾つかの実施形態において、ローブ２４を操作するとき指で当該ローブを掴むアクションを助ける構造的特徴を付与することを除いては）特別な処理を施さない。
【００１７】
＜本考案のシステムおよび方法を使用する利点＞
冒頭で説明したように、ジア・リウ（Ｊｉａ Ｌｉｕ）等による「ＳＯ２／ＡＡＴ１経路を下方調節する機械的なストレッチングによるコラーゲン合成の刺激」（サイエンス・レポート ６，２１１１２； ｄｏｉ： １０．１０３８／Ｓｒｅｐ ２１１１２ ２０１６年）において、人間の肺組織に機械的応力を作用させると、コラーゲンの合成を刺激できることが示された。同様に、機械的な効果に関して、皮膚組織を伸張させると、人間の表皮細胞の増殖を引き起こすことが示された（ソウイチロウ・ヤノ（Ｓｏｉｃｈｉｒｏ Ｙａｎｏ）等による「体外における機械的ストレッチングによる、ヒト表皮のケラチン合成細胞における、信号伝達経路および細胞増殖の調節」（Ｊｏｕｒｎａｌ ｏｆ Ｉｎｖｅｓｔｉｇａｔｉｖｅ Ｄｅｒｍａｔｏｌｏｇｙ誌 １２２： ７８３−７９０、２００４年））。
【００１８】
＜シワ内に隠された皮膚表面を露出させること＞
ジェイ・エル・コンテット−オードニュー（Ｊ．Ｌ．Ｃｏｎｔｅｔ−Ａｕｄｏｎｎｅａｕ）等による「ヒトのシワ構造の組織学的研究：  顔面において、太陽に晒されてシワができた、あるいはシワができていない領域と、太陽から保護された領域と、の比較」 （Ｂｒ． Ｊ． ｏｆ Ｄｅｒｍａｔｏｌ． １９９９：１４０：１０３８−１０４７）には、シワの構造が示されている。この文献は、シワがどのようにして、折り目およびシワ底部に皮膚部分を隠すのかを示している。この点について、本考案のＣＮＴＢを使用することで、伸ばした皮膚に軟膏、クリーム等を塗る間、シワを伸ばすことが容易になり、それによって、シワになった組織への浸透が高められる。
【００１９】
＜本考案のシステムの追加の実施形態＞
本考案のシステムのための好ましい実施形態では、バンド全体をゴム類あるいは他の伸縮性材料で構成し、これによって、ＣＮＴＢが顔および首に関連する皮膚に貼着できるようにしている。大雑把に言って、ＣＮＴＢの製造に使用できる具体的な材料は、ラテックス（あるいは天然ゴム）、合成ゴム、シリコーンゴム、およびエラストマーである。同様の目的を達成できる限り、他の材料を使用してもよい。
【００２０】
材料以外の形態に関しては、不完全な（完全な環状ではない）ＣＮＴＢとして構成してもよい。すなわち、バンドそれ自体は完全な環状ではないが、その両自由端に一時的に連結可能な要素を設け、これを連結することによって連続的な環状体を形成するようにしたＣＮＴＢであってもよい。一時的に連結可能な要素は、例えば、フック−ループファスナ（ベルクロ（登録商標））や、その他様々なピン−クリップ、ヒッチピン等である。
【符号の説明】
【００２１】
２２  ＣＮＴＢ（顔および首におけるコンプレクションスキンの治療バンド）
２４  ＳＬ（伸縮性ローブ）
２６  構造部
２８  ＳＳＷ（余剰皮膚ウィンドウ）
３２  ＰＬＳ（拡げることのできる長手方向のスリット）
４２  下方に位置する長手方向セクター
４４  上方に位置する長手方向セクター
５２  リッジ（棚）
５４  矢印
【図１Ａ】
0003214596.tif 000003
【図１Ｂ】
0003214596.tif 000004
【図２】
0003214596.tif 000005
【図３Ａ】
0003214596.tif 000006
【図３Ｂ】
0003214596.tif 000007